(57)【特許請求の範囲】
【請求項１】
電解質層を燃料極と酸素極とで挟持したＭＥＡプレートが、前記燃料極に沿って燃料ガス流路に配設されるコレクタ及び前記酸素極に沿って酸化剤流路に配設されるコレクタを備えるセパレータプレートを挟んで、積層される燃料電池スタックであって、
前記ＭＥＡプレートは、ＭＥＡ及び該ＭＥＡの外周に接続された弾性体から成るシール部材を備え、
前記コレクタは、前記燃料極及び酸素極よりも大きく形成されているとともに、前記燃料極及び酸素極に当接する平面状の金網部、及び、該金網部の前記燃料極及び酸素極と反対側の面に接合された線状材を備え、
前記金網部における前記燃料極及び酸素極の端より延出した部分が前記シール部材の平面部を支持することを特徴とする燃料電池スタック。
【請求項２】
前記セパレータプレートは、隣接するＭＥＡ間で反応ガスを遮断するセパレータ基板を備え、
前記金網部は、隣接するセパレータプレートのセパレータ基板とともに、前記シール部材を挟み込んで支持する請求項１に記載の燃料電池スタック。
【請求項３】
前記シール部材は、前記電解質層の周縁に一体的に接続され、前記電解質層から前記平面部までの距離は、締付荷重が付与された状態において、前記燃料極及び酸素極の厚さとほぼ同一となるよう設定される請求項２に記載の燃料電池スタック。
【発明の詳細な説明】
【技術分野】
【０００１】
本発明は、燃料電池スタックに関するものである。
【背景技術】
【０００２】
従来、燃料電池は発電効率が高く、有害物質を排出しないので、産業用、家庭用の発電装置として、又は、人工衛星や宇宙船などの動力源として実用化されてきたが、近年は、乗用車、バス、トラック、乗用カート、荷物用カート等の車両用の動力源として開発が進んでいる。そして、前記燃料電池は、アルカリ水溶液形（ＡＦＣ）、リン酸形（ＰＡＦＣ）、溶融炭酸塩形（ＭＣＦＣ）、固体酸化物形（ＳＯＦＣ）、直接形メタノール（ＤＭＦＣ）等のものであってもよいが、固体高分子形燃料電池（ＰＥＭＦＣ）が一般的である。
【０００３】
この場合、固体高分子電解質膜を２枚のガス拡散電極で挟み、一体化させて接合する。そして、該ガス拡散電極の一方を燃料極（アノード極）とし、その表面に燃料としての水素ガスを供給すると、水素が水素イオン（プロトン）と電子とに解離され、水素イオンが固体高分子電解質膜を移動する。また、前記ガス拡散電極の他方を酸素極（カソード極）とし、その表面に酸化剤としての空気を供給すると、空気中の酸素と、前記水素イオン及び電子とが結合して、水が生成される。このような電気化学反応によって起電力が生じるようになっている。
【０００４】
そして、固体高分子形燃料電池においては、固体高分子電解質膜の外側に燃料としての水素ガスや酸化剤としての空気のような反応ガスの供給通路を形成するセパレータを配設した積層構造が採用されている。前記セパレータは、積層方向に隣り合う固体高分子電解質膜への反応ガスの透過を防止するとともに、発生した電流を外部へ取り出すための集電を行う。このように、固体高分子電解質膜とセパレータとから成る単位セルを多数積層し、締付装置で締め付けることによって燃料電池スタックが構成される。また、反応ガスのシール性を確保するために、固体高分子電解質膜とセパレータとの間に、接着剤又はガスケットを介在させている（例えば、特許文献１参照。）。
【特許文献１】特開２００５−２０９４７０号公報
【発明の開示】
【発明が解決しようとする課題】
【０００５】
しかしながら、前記従来の燃料電池スタックにおいては、反応ガスの入出口部に板状の支持プレートを配設するので、入出口部におけるガス流路が狭められてしまうとともに、構造が複雑化して、製作が困難になってしまう。
【０００６】
接着剤を用いて反応ガスのシール性を確保する場合、接着剤の侵入に起因する流路の閉塞（そく）を防止するために、ガス流路の入出口部に板状の支持プレートを配設して接着剤を充填（てん）する。この場合、支持プレートを配設するために入出口部の流路高さを一段低くする必要があるので、ガス流路が狭められてしまう。また、はみ出した接着剤がガス流路内に侵入して流路の一部を閉塞する可能性があるので、部品の寸法精度を高くしたり、接着剤の塗布量を厳密に管理したりすることが必要となり、製作が困難となり、コストが高くなってしまう。
【０００７】
また、ガスケットを用いて反応ガスのシール性を確保する場合、燃料電池の性能とガスケットのシール性とを両立させるために、ＭＥＡ及びガスケットへ付与される締付荷重がそれぞれ適切な値となるように、荷重コントロールを行う必要がある。そのため、ガス流路の入出口部にガスケットの荷重を受けるための支持プレートを配設する必要があり、ガス流路が狭められるとともに、構造が複雑化してしまう。
【０００８】
本発明は、前記従来の燃料電池スタックの問題点を解決して、コレクタの金網部をＭＥＡの電極よりも大きく形成し、前記金網部によってシール部材を支持することにより、反応ガスの入出口部において流路が狭められることがなく、部品点数を減少させることができ、構造を簡素化して、信頼性が高く、コストの低い燃料電池スタックを提供することを目的とする。
【課題を解決するための手段】
【０００９】
そのために、本発明の燃料電池スタックにおいては、電解質層を燃料極と酸素極とで挟持したＭＥＡプレートが、前記燃料極に沿って燃料ガス流路に配設されるコレクタ及び前記酸素極に沿って酸化剤流路に配設されるコレクタを備えるセパレータプレートを挟んで、積層される燃料電池スタックであって、前記ＭＥＡプレートは、ＭＥＡ及び該ＭＥＡの外周に接続された弾性体から成るシール部材を備え、前記コレクタは、前記燃料極及び酸素極よりも大きく形成されているとともに、前記燃料極及び酸素極に当接する平面状の金網部、及び、該金網部の前記燃料極及び酸素極と反対側の面に接合された線状材を備え、前記金網部における前記燃料極及び酸素極の端より延出した部分が前記シール部材の平面部を支持する。
【００１１】
本発明の更に他の燃料電池スタックにおいては、さらに、前記セパレータプレートは、隣接するＭＥＡ間で反応ガスを遮断するセパレータ基板を備え、前記金網部は、隣接するセパレータプレートのセパレータ基板とともに、前記シール部材を挟み込んで支持する。
【００１２】
本発明の更に他の燃料電池スタックにおいては、さらに、前記シール部材は、前記電解質層の周縁に一体的に接続され、前記電解質層から前記平面部までの距離は、締付荷重が付与された状態において、前記燃料極及び酸素極の厚さとほぼ同一となるよう設定される。
【発明の効果】
【００１３】
請求項１の構成によれば、反応ガスの入出口部において燃料ガス流路及び酸化剤流路が狭められることがなく、部品点数を減少させることができ、構造を簡素化することができる。
【００１４】
請求項２の構成によれば、金網部を平坦（たん）な状態に維持することができる。
【００１５】
請求項３の構成によれば、ＭＥＡ及びシール部材へ付与される締付荷重がそれぞれ適切な値となるので、燃料電池の活性化分極及び抵抗分極が抑制されて、性能が高く、シール部材の耐久性が高くなる。
【発明を実施するための最良の形態】
【００１６】
以下、本発明の実施の形態について図面を参照しながら詳細に説明する。
【００１７】
図２は本発明の第１の実施の形態における燃料電池スタックの構成を示す模式斜視図、図３は本発明の第１の実施の形態における燃料電池のセルモジュールの構成を示す図である。
【００１８】
図において、１１は燃料電池（ＦＣ）装置としての燃料電池スタックであり、乗用車、バス、トラック、乗用カート、荷物用カート等の車両用の動力源として使用される。ここで、前記車両は、照明装置、ラジオ、パワーウィンドウ等の車両の停車中にも使用される電気を消費する補機類を多数備えており、また、走行パターンが多様であり、動力源に要求される出力範囲が極めて広いので、動力源としての燃料電池スタック１１と図示されない蓄電手段としての二次電池とを併用して使用することが望ましい。
【００１９】
そして、燃料電池スタック１１は、アルカリ水溶液形、リン酸形、溶融炭酸塩形、固体酸化物形、直接形メタノール等のものであってもよいが、固体高分子形燃料電池であることが望ましい。
【００２０】
なお、更に望ましくは、反応ガスとして水素ガスと酸素又は空気とを使用し、水素ガスを燃料ガス、すなわち、アノードガスとし、酸素又は空気を酸化剤、すなわち、カソードガスとするＰＥＭＦＣ（Ｐｒｏｔｏｎ  Ｅｘｃｈａｎｇｅ  Ｍｅｍｂｒａｎｅ  Ｆｕｅｌ  Ｃｅｌｌ）形燃料電池、又は、ＰＥＭ（Ｐｒｏｔｏｎ  Ｅｘｃｈａｎｇｅ  Ｍｅｍｂｒａｎｅ）形燃料電池と呼ばれるものである。ここで、該ＰＥＭ形燃料電池は、一般的に、プロトン等のイオンを透過する電解質層としての固体高分子電解質膜の両側に触媒、電極及びセパレータを結合した燃料電池としてのセル（Ｆｕｅｌ  Ｃｅｌｌ）を複数及び直列に結合したスタック（Ｓｔａｃｋ）から成る。
【００２１】
本実施の形態において、燃料電池スタック１１は、後述されるＭＥＡ（膜電極接合体：Ｍｅｍｂｒａｎｅ  Ｅｌｅｃｔｒｏｄｅ  Ａｓｓｅｍｂｌｙ）２１を含む燃料電池としてのＭＥＡプレートである単位セル１０Ａと、該単位セル１０Ａ同士を電気的に接続するとともに、単位セル１０Ａに導入される、アノードガスの流路としての水素ガス流路とカソードガスの流路としての空気流路とを分離するセパレータプレートとしてのセパレータユニット１０Ｂとを１セットとして、板厚方向に複数のセットを重ねて構成されている。なお、燃料電池スタック１１は、単位セル１０Ａ同士が所定の間隙（げき）を隔てて配置され、多段に重ねられて積層されている。この場合、燃料電池スタック１１は、導電可能に、かつ、燃料ガス流路、すなわち、水素ガス流路が連続するように相互に接続されている。そして、このようなセットの積層体は、図示されないエンドプレートによって、図３における上下両側から挟み込まれて、締付荷重を付与される。
【００２２】
そして、ＭＥＡ２１は、後述されるように、電解質層としての固体高分子電解質膜２２と、その一側に設けられた燃料極２３ａ及び他側に設けられた酸素極としての空気極２３ｂとで構成されている。前記燃料極２３ａ及び空気極２３ｂは、反応ガスを拡散しながら透過する導電性材料から成る電極拡散層と、該電極拡散層上に形成され、固体高分子電解質膜２２と接触させて支持される触媒層とから成る。
【００２３】
前記セルモジュール１０においては、セパレータユニット１０Ｂの燃料極側に形成された燃料室内に燃料ガス、すなわち、アノードガスとしての水素ガスを供給すると、水素が水素イオンと電子とに分解され、水素イオンがプロトン同伴水を伴って、固体高分子電解質膜２２を透過する。また、前記空気極２３ｂをカソード極とし、セパレータユニット１０Ｂの空気極側に形成された空気流路としての酸素室内に酸化剤、すなわち、カソードガスとしての空気を供給すると、空気中の酸素と、前記水素イオン及び電子とが結合して、水が生成される。なお、水分が逆拡散水として固体高分子電解質膜２２を透過し、燃料室内に移動する。ここで、逆拡散水とは、空気流路としての酸素室において生成される水が固体高分子電解質膜２２内に拡散し、該固体高分子電解質膜２２内を前記水素イオンと逆方向に透過して燃料室にまで浸透したものである。
【００２４】
また、酸化剤としての空気は、燃料電池スタック１１の酸素室、すなわち、空気流路に供給される。この場合、供給される空気の圧力は、大気圧程度の常圧であってもよいし、より高い圧力であってもよい。なお、酸化剤として、空気に代えて酸素を使用することもできる。
【００２５】
図２に示される例において、燃料電池スタック１１は、全体として扁（へん）平な直方体状の形状を有し、内部における空気の流れは、矢印Ａで示されるように、重力方向、すなわち、上から下に直線状になっている。また、水素ガスの流れは、矢印Ｂで示されるように、重力方向、すなわち、前記矢印Ａで示される方向とほぼ直交する水平面内において、セルモジュール１０毎に折り返すサーペンタイン状に、すなわち、蛇行状になっている。なお、１５はセルモジュール１０の両端に形成された燃料ガス通路である。単位セル１０Ａ及びセパレータユニット１０Ｂの各セットにおいて、水素ガスはセルモジュール１０の一端に形成された燃料ガス通路１５から水素ガス流路内に流入し、該水素ガス流路から排出されて他端に形成された燃料ガス通路１５に流入する。
【００２６】
また、前記燃料電池スタック１１は、水素ガスの入口側及び出口側に配設された図示されないエンドプレートによって積層方向に締め付けられている。なお、前記エンドプレートは締め付け用シャフトによって、セルモジュール１０を締め付ける力が付与された状態で、相互に接続されている。
【００２７】
次に、前記燃料電池スタック１１の構成について詳細に説明する。
【００２８】
図１は本発明の第１の実施の形態における単位セル及びセパレータユニットの組合せを示す図であり図３におけるＣ部拡大断面図、図４は本発明の第１の実施の形態におけるコレクタの構成を示す図、図５は本発明の第１の実施の形態におけるコレクタの構成を示す要部拡大図であり図４のＤ部拡大図、図６は比較例における単位セル及びセパレータユニットの組合せを示す図である。なお、図４において、（ａ）は平面図、（ｂ）は側面図である。
【００２９】
図１に示されるように、セパレータユニット１０Ｂは、隣接するＭＥＡ２１間のガス遮断部材でありセパレータ本体としてのセパレータ基板３１と、該セパレータ基板３１の一側に設けられ、ＭＥＡ２１の燃料極２３ａの電極拡散層に接触して集電するコレクタ、すなわち、集電体としての燃料極側コレクタ３２ａと、セパレータ基板３１の他側に設けられ、ＭＥＡ２１の空気極２３ｂの電極拡散層に接触して同じく電流を外部に導出するための集電体としての空気極側コレクタ３２ｂとを有する。なお、図１においては、図示の都合上、ＭＥＡ２１の燃料極２３ａ側に配設されたセパレータユニット１０Ｂでは空気極側コレクタ３２ｂの図示が省略され、ＭＥＡ２１の空気極２３ｂ側に配設されたセパレータユニット１０Ｂでは燃料極側コレクタ３２ａの図示が省略されている。
【００３０】
本実施の形態において、前記燃料極側コレクタ３２ａ及び空気極側コレクタ３２ｂは、一方の面がＭＥＡ２１の燃料極２３ａ又は空気極２３ｂの電極拡散層に当接する長方形の板状のベース部である金網部としての燃料極ベースコレクタ３３ａ及び空気極ベースコレクタ３３ｂと、前記燃料極ベースコレクタ３３ａ及び空気極ベースコレクタ３３ｂの他方の面に接合された線状材としての燃料極線状材３４ａ及び空気極線状材３４ｂとを備える。なお、燃料極側コレクタ３２ａ及び空気極側コレクタ３２ｂは、実質的に同一の構成を有するので、ここでは、空気極側コレクタ３２ｂの構成についてのみ説明し、燃料極側コレクタ３２ａについては説明を省略する。
【００３１】
図４及び５に示されるように、空気極ベースコレクタ３３ｂは、平面形状が長方形の薄板状に形成された金網状の部材であり、網目状の開口を有するエキスパンドメタル、パンチングメタル等のメタル板材から成る。具体的には、導電性と耐蝕（しょく）性を備えた金属、例えば、ステンレス鋼、ニッケル合金、チタン合金等に金メッキ等の耐蝕導電処理を施したものから成る。また、開口率は、例えば、５９〔％〕以上であるが任意に設定することができる。なお、前記長方形の寸法は、長手方向に関しては、同じく長方形であるＭＥＡ２１の空気極２３ｂの寸法とほぼ同一であり、短手方向に関しては、ＭＥＡ２１の空気極２３ｂの寸法より大きく設定されている。
【００３２】
一方、空気極線状材３４ｂは、例えば、断面矩（く）形の中実のワイヤ状又は棒状の開口を有していない部材であり、複数本が互いに平行になるように配列されている。図示される例において、空気極線状材３４ｂは、長方形の空気極ベースコレクタ３３ｂの短手方向に延在するように配列されている。なお、前記空気極線状材３４ｂは、空気極ベースコレクタ３３ｂと同一の材質のものであってもよいし、相違する材質のものであってもよい。また、前記空気極線状材３４ｂの断面形状は、矩形以外の形状、例えば、円形、楕（だ）円形、三角形等であってもよく、任意に設定することができる。さらに、前記空気極線状材３４ｂは、中空のパイプ状のものであってもよい。なお、空気極線状材３４ｂは、拡散接合によって空気極ベースコレクタ３３ｂの表面に接合されている。
【００３３】
そして、前記空気極ベースコレクタ３３ｂの図４（ｂ）における下側の面がＭＥＡ２１の空気極２３ｂの電極拡散層に当接し、空気極線状材３４ｂの図４（ｂ）における上側の面がセパレータ基板３１に当接する。これにより、隣接する空気極線状材３４ｂ同士の間に上下が空気極ベースコレクタ３３ｂ及びセパレータ基板３１によって画定され、長方形の空気極ベースコレクタ３３ｂの短手方向に延在する空気流路３５ｂが形成される。
【００３４】
なお、燃料極側コレクタ３２ａは、燃料極線状材３４ａが、長方形の燃料極ベースコレクタ３３ａの長手方向に延在するように配列され、該燃料極ベースコレクタ３３ａの長手方向に延在する水素ガス流路３５ａが形成される点、及び、長方形である燃料極ベースコレクタ３３ａの寸法が、長手方向に関して、同じく長方形であるＭＥＡ２１の燃料極２３ａの寸法より大きく、短手方向に関して、燃料極２３ａの寸法とほぼ同一である点についてのみ、空気極側コレクタ３２ｂと相違し、その他の点については、同様である。
【００３５】
本実施の形態において、単位セル１０Ａは、長方形のＭＥＡ２１の周囲を囲繞（にょう）するように、固体高分子電解質膜２２の周縁に一体的に接続されたシール部材１７を有する。該シール部材１７は、弾性を有する固形物、例えば、シリコーンゴムのような弾性を備える樹脂から成ることが好ましく、これにより、ＭＥＡ２１の固体高分子電解質膜２２が樹脂系の高分子膜である場合には、該高分子膜との接続性が良好になる。そして、固体高分子電解質膜２２の周縁にシール部材１７が一体的に接続されることによって、ＭＥＡ２１とその周囲を囲繞するシール部材１７との間には隙（すき）間が発生することがなく、単位セル１０Ａの両面を流れる水素ガスと空気とが前記隙間を通過して混合することが防止される。
【００３６】
そして、シール部材１７の燃料極２３ａ側の面は、対向するセパレータユニット１０Ｂのセパレータ基板３１の周縁部の表面に当接し、単位セル１０Ａとセパレータユニット１０Ｂとの周縁部をシールする。これにより、単位セル１０Ａの燃料極２３ａ側の面とセパレータユニット１０Ｂの対向面との間における水素ガスの流通する空間を画定し、水素ガスが前記空間の外へ漏出することを防止する。
【００３７】
また、シール部材１７の空気極２３ｂ側の面は、対向するセパレータユニット１０Ｂのセパレータ基板３１の周縁部の表面に当接し、単位セル１０Ａとセパレータユニット１０Ｂとの周縁部をシールする。これにより、単位セル１０Ａの空気極２３ｂ側の面とセパレータユニット１０Ｂの対向面との間における水素ガスの流通する空間を画定し、空気が前記空間の外へ漏出することを防止する。
【００３８】
長方形の単位セル１０Ａの長手方向両端近傍に対応する部分のシール部材１７には、該シール部材１７を厚さ方向に貫通し、長円形又は長方形のような形状を備える燃料ガス通路孔（あな）１８が、それぞれ、形成されている。同様に、長方形のセパレータユニット１０Ｂの長手方向両端近傍に対応する部分のセパレータ基板３１には、該セパレータ基板３１を厚さ方向に貫通し、長円形又は長方形のような形状を備える燃料ガス通路孔３８が、それぞれ、形成されている。そして、図１に示されるように、単位セル１０Ａとセパレータユニット１０Ｂとを積層した状態においては、シール部材１７の燃料ガス通路孔１８とセパレータ基板３１の燃料ガス通路孔３８とは、互いに一致し、セルモジュール１０において、その積層方向に延在する燃料ガス通路１５を形成する。
【００３９】
したがって、単位セル１０Ａと対向するセパレータユニット１０Ｂとの間に形成される水素ガス流路３５ａは、単位セル１０Ａの長手方向両端近傍のシール部材１７に形成された燃料ガス通路孔１８同士を結ぶように、単位セル１０Ａの長手方向（図１における横方向）に延在する。そのため、燃料ガス通路１５を流れる水素ガスは、図１において矢印で示されるように、水素ガス流路３５ａ内に流入する。また、図示されない単位セル１０Ａの長手方向の他端においては、水素ガス流路３５ａ内から排出された水素ガスが燃料ガス通路１５内に流入する。
【００４０】
一方、単位セル１０Ａと対向するセパレータユニット１０Ｂとの間に形成される酸化剤流路としての空気流路３５ｂは、単位セル１０Ａの短手方向、すなわち、幅方向（図１における図面に垂直な方向）に延在する。なお、空気流路３５ｂの両端は、セルモジュール１０の側面において開口する。
【００４１】
また、シール部材１７は、燃料ガス通路孔１８が形成された部位において、上段部１７ａ及び下段部１７ｂから成る段差部を備え、単位セル１０Ａとセパレータユニット１０Ｂとを積層する際に、前記段差部が対向するセパレータユニット１０Ｂの燃料極側コレクタ３２ａの長手方向端部と係合する。具体的には、燃料極ベースコレクタ３３ａの長手方向の端部であってＭＥＡ２１の燃料極２３ａの端より外方へ延出した部分の下面が、シール部材１７の平面部、すなわち、下段部１７ｂの平坦な上面に当接する。すなわち、セパレータユニット１０Ｂの燃料極ベースコレクタ３３ａの端部が、隣接するセパレータユニット１０Ｂのセパレータ基板３１とともに、シール部材１７の下段部１７ｂを上下から挟み込んで支持する。
【００４２】
この場合、シール部材１７と一体的に接続された固体高分子電解質膜２２の上面から下段部１７ｂの上面までの距離は、締付荷重が付与された状態において、固体高分子電解質膜２２の上面から燃料極２３ａの上面までの距離、すなわち、燃料極２３ａの厚さとほぼ同一となるように設定されている。そのため、燃料極ベースコレクタ３３ａは、燃料ガス通路孔１８に近接した部分においても、すなわち、水素ガス流路３５ａにおける水素ガスの入出口部においても、平坦な状態を維持することができる。これにより、水素ガス流路３５ａは、水素ガスの入出口部において流路断面が一定であり、狭められることなくがないので、流路抵抗が増加することがなく、水素ガスの流れが阻害されることがない。
【００４３】
これに対し、「発明が解決しようとする課題」の項において説明した従来の燃料電池スタックにおいては、図６に示されるように、水素ガスの入出口部に板状の支持プレート４２が配設されている。そのため、水素ガス流路３５ａは、水素ガスの入出口部において流路断面が小さくなり、狭められてしまい、流路抵抗が増加し、水素ガスの流れが阻害されてしまう。また、支持プレート４２を配設することによって、部品点数が増加し、セルモジュール１０の構造が複雑化してしまう。
【００４４】
これは、本実施の形態におけるシール部材１７を使用することなく、接着剤４１を充填することによって、単位セル１０Ａとセパレータユニット１０Ｂとの周縁部をシールするようになっているためである。接着剤４１を充填する際に、該接着剤４１が水素ガス流路３５ａ内に侵入しないようにするために、支持プレート４２を、その下面がＭＥＡ２１の燃料極２３ａの上面に当接するように配設する必要がある。そのため、接着剤４１が水素ガス流路３５ａ内に侵入しなくても、支持プレート４２によって燃料極ベースコレクタ３３ａが押し上げられるので、水素ガス流路３５ａが狭められてしまう。また、支持プレート４２を配設する必要があるので、部品点数が増加し、セルモジュール１０の構造が複雑化してしまう。
【００４５】
このように、本実施の形態においては、燃料極側コレクタ３２ａの燃料極ベースコレクタ３３ａの寸法をＭＥＡ２１の燃料極２３ａの寸法より大きくし、燃料極ベースコレクタ３３ａにおける燃料極２３ａの端より外方へ延出した部分が、ＭＥＡ２１の周囲に接続されたシール部材１７を支持する。
【００４６】
これにより、水素ガス流路３５ａは、水素ガスの入出口部において流路断面が一定となり、流路抵抗が増加することがなく、水素ガスの流れが阻害されることがない。また、従来の燃料電池スタックのような支持プレート４２が不要となるので、部品点数を減少させることができ、セルモジュール１０の構造を簡素化することができる。さらに、従来の燃料電池スタックのような接着剤４１を充填する必要がないので、接着剤４１の充填量の管理が不要となり、セルモジュール１０の製作が容易となり、コストを抑制することができる。
【００４７】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４８】
図７は本発明の第２の実施の形態における単位セル及びセパレータユニットの組合せを示す図、図８は比較例における単位セル及びセパレータユニットの組合せを示す図である。
【００４９】
図７に示されるように、単位セル１０Ａと対向するセパレータユニット１０Ｂとの間に形成される酸化剤流路としての空気流路３５ｂは、単位セル１０Ａの短手方向、すなわち、幅方向（図７における横方向）に延在し、前記空気流路３５ｂの両端は、セルモジュール１０の側面において開口する。そのため、空気は、図７において矢印で示されるように、空気流路３５ｂ内に流入する。また、図示されない単位セル１０Ａの短手方向の他端の側面においては、空気が空気流路３５ｂ内から排出される。
【００５０】
そして、シール部材１７は、空気流路３５ｂの両端において、単位セル１０Ａとセパレータユニット１０Ｂとを積層する際に、その上面が対向するセパレータユニット１０Ｂの燃料極側コレクタ３２ａの長手方向端部と係合する。具体的には、空気極ベースコレクタ３３ｂの長手方向の端部であってＭＥＡ２１の空気極２３ｂの端より外方へ延出した部分の下面が、シール部材１７の平面部、すなわち、シール部材１７の平坦な上面に当接する。つまり、セパレータユニット１０Ｂの空気極ベースコレクタ３３ｂの端部が、隣接するセパレータユニット１０Ｂのセパレータ基板３１とともに、シール部材１７を上下から挟み込んで支持する。
【００５１】
この場合、該シール部材１７と一体的に接続された固体高分子電解質膜２２の上面からシール部材１７の上面までの距離は、締付荷重が付与された状態において、固体高分子電解質膜２２の上面から空気極２３ｂの上面までの距離、すなわち、空気極２３ｂの厚さとほぼ同一となるように設定されている。そのため、空気極ベースコレクタ３３ｂは、セルモジュール１０の側面に近接した部分においても、すなわち、空気流路３５ｂにおける空気の入出口部においても、平坦な状態を維持することができる。これにより、空気流路３５ｂは、空気の入出口部において流路断面が一定であり、狭められることがないので、流路抵抗が増加することがなく、空気の流れが阻害されることがない。
【００５２】
これに対し、「発明が解決しようとする課題」の項において説明した従来の燃料電池スタックにおいては、図８に示されるように、空気の入出口部に板状の支持プレート４２が配設されている。そのため、空気流路３５ｂは、空気の入出口部において流路断面が小さくなり、狭められてしまい、流路抵抗が増加し、空気の流れが阻害されてしまう。また、支持プレート４２を配設することによって、部品点数が増加し、セルモジュール１０の構造が複雑化してしまう。
【００５３】
これは、本実施の形態におけるシール部材１７を使用することなく、接着剤４１を充填することによって、単位セル１０Ａとセパレータユニット１０Ｂとの周縁部をシールするようになっているためである。接着剤４１を充填する際に、該接着剤４１が空気流路３５ｂ内に侵入しないようにするために、支持プレート４２を、その下面がＭＥＡ２１の空気極２３ｂの上面に当接するように配設する必要がある。そのため、接着剤４１が空気流路３５ｂ内に侵入しなくても、支持プレート４２によって空気極ベースコレクタ３３ｂが押し上げられるので、空気流路３５ｂが狭められてしまう。また、支持プレート４２を配設する必要があるので、部品点数が増加し、セルモジュール１０の構造が複雑化してしまう。
【００５４】
なお、その他の点の構成については、前記第１の実施の形態と同様であるので、その説明を省略する。
【００５５】
このように、本実施の形態においては、空気極側コレクタ３２ｂの空気極ベースコレクタ３３ｂの寸法をＭＥＡ２１の空気極２３ｂの寸法より大きくし、空気極ベースコレクタ３３ｂにおける空気極２３ｂの端より外方へ延出した部分が、ＭＥＡ２１の周囲に接続されたシール部材１７を支持する。
【００５６】
これにより、空気流路３５ｂは、空気の入出口部において流路断面が一定となり、流路抵抗が増加することがなく、空気の流れが阻害されることがない。また、従来の燃料電池スタックのような支持プレート４２が不要となるので、部品点数を減少させることができ、セルモジュール１０の構造を簡素化することができる。さらに、従来の燃料電池スタックのような接着剤４１を充填する必要がないので、接着剤４１の充填量の管理が不要となり、セルモジュール１０の製作が容易となり、コストを抑制することができる。
【００５７】
なお、本発明は前記実施の形態に限定されるものではなく、本発明の趣旨に基づいて種々変形させることが可能であり、それらを本発明の範囲から排除するものではない。
【図面の簡単な説明】
【００５８】
【図１】本発明の第１の実施の形態における単位セル及びセパレータユニットの組合せを示す図であり図３におけるＣ部拡大断面図である、
【図２】本発明の第１の実施の形態における燃料電池スタックの構成を示す模式斜視図である。
【図３】発明の第１の実施の形態における燃料電池のセルモジュールの構成を示す図である。
【図４】本発明の第１の実施の形態におけるコレクタの構成を示す図である。
【図５】本発明の第１の実施の形態におけるコレクタの構成を示す要部拡大図であり図４のＤ部拡大図である。
【図６】比較例における単位セル及びセパレータユニットの組合せを示す図である。
【図７】本発明の第２の実施の形態における単位セル及びセパレータユニットの組合せを示す図である。
【図８】比較例における単位セル及びセパレータユニットの組合せを示す図である。
【符号の説明】
【００５９】
１０Ａ    単位セル
１０Ｂ    セパレータユニット
１１    燃料電池スタック
１７    シール部材
２１    ＭＥＡ
２２    固体高分子電解質膜
２３ａ    燃料極
２３ｂ    空気極
３１    セパレータ基板
３２ａ    燃料極側コレクタ
３２ｂ    空気極側コレクタ
３３ａ    燃料極ベースコレクタ
３３ｂ    空気極ベースコレクタ
３４ａ    燃料極線状材
３４ｂ    空気極線状材
３４ａ    水素ガス流路
３５ｂ    空気流路
【図１】
0005109570.tif 000002
【図２】
0005109570.tif 000003
【図３】
0005109570.tif 000004
【図４】
0005109570.tif 000005
【図５】
0005109570.tif 000006
【図６】
0005109570.tif 000007
【図７】
0005109570.tif 000008
【図８】
0005109570.tif 000009